(57)【要約】【課題】屋根が連続する波形面、凹凸面等の起伏面であっても強固に太陽電池モジュールを取り付けることができ、かつ、太陽電池モジュールの取付位置の縦方向、横方向及び高さ方向の位置調整を容易に行うことができる太陽電池モジュールの取付構造を提供すること。【解決手段】屋根２に横方向に並んで２本立設された基礎ボルト５のそれぞれに緩衝材１１を介在して固定部材１０を屋根に設置する際に、固定部材に形成された縦方向に沿う第１長孔１０ｃに基礎ボルトを遊貫して、固定部材を縦方向に位置調整してナット９を締結し、横材の両端に形成された横方向に沿う第２長孔２０ｂに、各固定部材のそれぞれに立設された連結ボルト１２を遊貫して、横材２０を横方向に位置調整してナット２５を締結し、横材の中間部に形成された横方向に沿う第３長孔に、取付ボルトを遊貫して、太陽電池モジュール１を固定する縦レール３０を横方向に位置調整して固定する。【選択図】図３
2013096118.tif 000002
【特許請求の範囲】
【請求項１】
建物の屋根の傾斜方向に沿って互いに平行に設置される複数の縦レールを用いた太陽電池モジュールの取付構造であって、
上記屋根に立設される基礎ボルトが遊貫可能な上記傾斜方向に沿う第１長孔が形成される平板状の基部と、該基部の両側縁部から下方に連設される折曲片と、上記基部の上面から高さ方向に立設される連結ボルトと、を備える固定部材と、
上記固定部材と上記屋根の間に介在されるスペーサー機能を有する緩衝材と、
上記連結ボルトが遊貫可能な上記傾斜方向と直交する方向に沿う第２長孔が両端部に形成されると共に、上記縦レールを固定するための取付ボルトを挿入可能な上記傾斜方向と直交する方向に沿う第３長孔が中間部に形成される平板状の基部を備える横材と、を具備し、
上記屋根に上記傾斜方向と直交する方向に並んで２本立設された上記基礎ボルトのそれぞれに上記緩衝材を介在して上記固定部材を上記屋根に設置する際に、上記固定部材に形成された上記第１長孔に上記基礎ボルトを遊貫して、上記固定部材を上記傾斜方向に位置調整して上記基礎ボルトにナットを締結し、
上記横材の両端に形成された上記第２長孔に、上記各固定部材のそれぞれに立設された上記連結ボルトを遊貫して、上記横材を上記傾斜方向と直交する方向に位置調整して上記連結ボルトにナットを締結し、
上記横材の中間部に形成された上記第３長孔に、上記取付ボルトを遊貫して、上記縦レールを上記傾斜方向と直交する方向に位置調整して上記縦レールを固定する、
ことを特徴とする太陽電池モジュールの取付構造。
【請求項２】
請求項１記載の太陽電池モジュールの取付構造において、
上記縦レールは、上記取付ボルトが遊貫可能な上記傾斜方向に沿う第４長孔が形成されており、上記縦レールに形成された上記第４長孔に上記取付ボルトを遊貫して、上記縦レールを上記傾斜方向に位置調整して上記取付ボルトにナットを締結する、ことを特徴とする太陽電池モジュールの取付構造。
【請求項３】
請求項１又は２記載の太陽電池モジュールの取付構造において、
上記横材の上記基部の長手方向に沿う縁部における上記第２長孔が位置する両端部を残した部分に折曲補強片を連設してなる、ことを特徴とする太陽電池モジュールの取付構造。
【請求項４】
請求項１又は２記載の太陽電池モジュールの取付構造において、
上記横材の上記基部の長手方向に沿う縁部における上記第２長孔が位置する両端部を残した部分に折曲補強片を連設し、上記基部における、上記折曲補強片が連設される部位と連設されてない部位に跨って、補強用のエンボス部を形成する、ことを特徴とする太陽電池モジュールの取付構造。
【発明の詳細な説明】
【技術分野】
【０００１】
この発明は、例えば建物の屋根における太陽電池モジュールの取付構造に関するものである。
【背景技術】
【０００２】
従来、太陽電池モジュールを屋根に取り付ける構造として、屋根材の上面に沿う上板と、屋根材の下面に沿う下板と、該上板と下板とを連結する連結板とを備え、上板側にボルト等の締結具の軸部を挿通孔から上方突出する取付部が設けられている支持金具を、上板と下板とで屋根材を上下に挟持するように屋根材に対して嵌合し、取付孔を利用してビス等で屋根材に固定した後、取付部の左右方向に長い挿通孔から上方突出したボルトを太陽電池モジュール取付用の縦ラックの縦長の長孔に押通してナットを螺合するものが知られている（例えば、特許文献１参照）。
【０００３】
また、屋根などの取付面の傾斜方向とほぼ直交する方向に横溝が形成された固定金具と、固定金具により取付面上に固定され、中央部に取付面の傾斜方向に形成された縦長の長孔が形成された縦材と、を有し、横溝にボルトの頭部の大径部をスライドさせて嵌め込むと共に、ボルトのねじ部分を固定金具から上方に向かって突設させ、縦材の長孔に嵌めて固定する際に、ボルトを横溝に沿ってスライドさせると共に、縦材を長孔に沿って移動させることで縦材の取付位置を調整するものが知られている（例えば、特許文献２参照）。
【先行技術文献】
【特許文献】
【０００４】
【特許文献１】特開２００１−９０２７３号公報
【特許文献２】特開２００８−９５２７８号公報
【発明の概要】
【発明が解決しようとする課題】
【０００５】
しかしながら、特許文献１に記載の構造では、支持金具を、上板と下板とで屋根材を上下に挟持するように嵌合する必要があるため、例えば屋根が連続する波形面、凹凸面等の起伏面である場合、支持金具を屋根へ強度を持たせて固定することに懸念がある。また、特許文献１に記載の構造においては、屋根の傾斜方向（縦方向）の位置調整と、取付部に設けられた挿通孔によって該傾斜方向と直交する方向（横方向）への調節は可能であるが、挿通孔は長くとれないため、横方向の位置調整には限度がある。したがって、特に連続する波形面や凹凸面を有する屋根における横方向の自由度が低い上、高さ方向の位置調節をすることができない問題がある。
【０００６】
また、特許文献２に記載の構造では、固定金具の裏面側は屋根の平坦な部位に密着する構造であるため、例えば屋根が連続する波形面、凹凸面等の起伏面である場合、固定金具を屋根材へ強度を持たせて固定することに懸念がある。また、特許文献２に記載の構造においては、縦方向の位置調整と、固定金具に設けられた横溝によって横方向への調節は可能であるが、横溝は長くとれないため、横方向の位置調整には限度がある。したがって、特に連続する波形面や凹凸面を有する屋根における横方向の自由度が低い上、高さ方向の位置調節をすることができない問題がある。
【０００７】
この発明は、上記事情に鑑みてなされたもので、屋根が連続する波形面、凹凸面等の起伏面であっても強固に太陽電池モジュールを取り付けることができ、かつ、太陽電池モジュールの取付位置の縦方向、横方向及び高さ方向の位置調整を容易に行うことができる太陽電池モジュールの取付構造を提供することを目的とする。
【課題を解決するための手段】
【０００８】
上記課題を解決するため、この発明は、建物の屋根の傾斜方向に沿って互いに平行に設置される複数の縦レールを用いた太陽電池モジュールの取付構造であって、  上記屋根に立設される基礎ボルトが遊貫可能な上記傾斜方向に沿う第１長孔が形成される平板状の基部と、該基部の両側縁部から下方に連設される折曲片と、上記基部の上面から高さ方向に立設される連結ボルトと、を備える固定部材と、  上記固定部材と上記屋根の間に介在されるスペーサー機能を有する緩衝材と、  上記連結ボルトが遊貫可能な上記傾斜方向と直交する方向に沿う第２長孔が両端部に形成されると共に、上記縦レールを固定するための取付ボルトを挿入可能な上記傾斜方向と直交する方向に沿う第３長孔が中間部に形成される平板状の基部を備える横材と、を具備し、  上記屋根に上記傾斜方向と直交する方向に並んで２本立設された上記基礎ボルトのそれぞれに上記緩衝材を介在して上記固定部材を上記屋根に設置する際に、上記固定部材に形成された上記第１長孔に上記基礎ボルトを遊貫して、上記固定部材を上記傾斜方向に位置調整して上記基礎ボルトにナットを締結し、  上記横材の両端に形成された上記第２長孔に、上記各固定部材のそれぞれに立設された上記連結ボルトを遊貫して、上記横材を上記傾斜方向と直交する方向に位置調整して上記連結ボルトにナットを締結し、  上記横材の中間部に形成された上記第３長孔に、上記取付ボルトを遊貫して、上記縦レールを上記傾斜方向と直交する方向に位置調整して上記縦レールを固定する、ことを特徴とする（請求項１）。
【０００９】
このように構成することにより、屋根に立設された基礎ボルトに緩衝材を介在して折曲片が形成された固定部材を屋根に固定するため、屋根が連続する波形面、凹凸面等の起伏面であっても、屋根と固定部材を強固に連結することができる。太陽電池モジュールを固定する縦レールは、横材を介して屋根と強固に連結された２個の固定部材に連結されるため、屋根と強固に連結することができる。
【００１０】
また、固定部材に形成された傾斜方向に沿う第１長孔に基礎ボルトを遊貫して、固定部材を傾斜方向に位置調整して基礎ボルトにナットを締結することにより、太陽電池モジュールの取付位置の傾斜方向の調整範囲を広げることができる。また、横材の両端に形成された傾斜方向と直交する方向に沿う第２長孔に、各固定部材のそれぞれに立設された連結ボルトを遊貫して、横材を傾斜方向と直交する方向に位置調整して上記連結ボルトにナットを締結すること、及び、横材に形成された傾斜方向と直交する方向に沿う第３長孔に取付ボルトを遊貫して、縦レールを傾斜方向と直交する方向に位置調整して縦レールを固定することにより、太陽電池モジュールの取付位置の傾斜方向と直交する方向の調整範囲を広げることができる。また、緩衝材の厚さの調整することにより、太陽電池モジュールの取付位置の高さ方向の調整範囲を広げることができる。
【００１１】
この場合、上記縦レールは、上記取付ボルトが遊貫可能な第４長孔が形成されており、上記縦レールに形成された上記第４長孔に上記取付ボルトを遊貫して、上記縦レールを上記傾斜方向に位置調整して上記取付ボルトにナットを締結する方がよい（請求項２）。
【００１２】
このように構成することにより、縦レールに形成された第４長孔に取付ボルトを遊貫して、縦レールを傾斜方向に位置調整して取付ボルトにナットを締結できるので、太陽電池モジュールの取付位置の傾斜方向の調整範囲を更に広げることができる。
【００１３】
また、この発明において、上記横材の上記基部の長手方向に沿う縁部における上記第２長孔が位置する両端部を残した部分に折曲補強片を連設してなる方が好ましい（請求項３）。
【００１４】
このように構成することにより、固定部材間に架設される横材の曲げ強度（曲げ剛性）の向上が図れる。
【００１５】
また、この発明において、上記横材の上記基部の長手方向に沿う縁部における上記第２長孔が位置する両端部を残した部分に折曲補強片を連設し、上記基部における、上記折曲補強片が連設される部位と連設されてない部位に跨って、補強用のエンボス部を形成する方が好ましい（請求項４）。
【００１６】
このように構成することにより、固定部材間に架設される横材の両端取付部の強度（剛性）の向上が図れると共に、横材の曲げ強度（曲げ剛性）の向上が図れる。
【発明の効果】
【００１７】
この発明によれば、上記のように構成されているので、屋根が連続する波形面、凹凸面等の起伏面であっても強固に太陽電池モジュールを取り付けることができ、かつ、太陽電池モジュールの取付位置の傾斜方向、傾斜方向と直交する方向及び高さ方向の位置調整を容易に行うことができる。
【図面の簡単な説明】
【００１８】
【図１】この発明に係る太陽電池モジュールの取付構造の一例を示す概略斜視図である。
【図２】この発明における固定部材に横材を取り付け、横材に縦レールを取り付ける状態を示した斜視図である。
【図３】この発明における固定部材に横材を取り付け、横材に縦レールを取り付ける状態を示した分解斜視図である。
【図４】この発明における基礎ボルトと固定部材を取り付ける状態を示した分解斜視図である。
【図５】この発明における固定部材に緩衝材を装着した状態を示す斜視図である。
【図６】この発明における横材の一部を断面で示す斜視図である。
【図７】この発明における縦レールの断面斜視図である。
【図８】この発明における横材に縦レールを取り付けた状態を示す断面図（ａ）及び（ｂ）のＩ−Ｉ線に沿う断面図（ｂ）である。
【図９】他の実施形態における横材を示す斜視図及び（ａ）のＩＩ−ＩＩ線に沿う断面図（ｂ）である。
【発明を実施するための形態】
【００１９】
以下に、この発明に係る太陽電池モジュールの取付構造の実施形態を添付図面に基づいて詳細に説明する。
【００２０】
図１に示すように、この発明に係る太陽電池モジュール１は、棟側２ａから軒側２ｂに下り傾斜する建物の屋根２の傾斜方向に沿って互いに平行に設置される複数の縦レール３０のうち例えば２本の縦レール３０に取り付けられる。
【００２１】
この発明における太陽電池モジュール１の取付構造は、図１〜図４に示すように、屋根２に立設される基礎ボルト５に固定される固定部材１０と、固定部材１０と屋根２の間に介在されるスペーサー機能を有する緩衝材１１と、２個の固定部材１０に架設して固定される横材２０と、横材２０上に交差して取り付けられる縦レール３０と、を具備している。
【００２２】
この場合、屋根２は、図１〜図４に示すように、曲面で形成される波形凸部３ａと波形凹部３ｂが交互に横方向に連続する波形面を有する屋根材３を備える。以下、屋根２の傾斜方向を縦方向、屋根２面に沿って縦方向と直交する方向を横方向、屋根２面と直交する方向を高さ方向として説明する。
【００２３】
基礎ボルト５は、図４に示すように、屋根材３の波形凸部３ａの裏面側に嵌合可能な曲部４ａと平坦部４ｂが交互に連続して形成されたタイトフレーム４の曲部４ａの頂部に立設されている。タイトフレーム４は、例えば鋼鉄製であって、曲部４ａの間に形成される平坦部４ｂを、例えばＨ型鋼により形成される受梁７の上面に溶接して受梁７に連結される。受梁７に溶接されたタイトフレーム４の曲部４ａの頂部に立設された基礎ボルト５を、屋根材３の波形凸部３ａの頂部に形成された挿入孔３ｃに、屋根材３の裏面側から表面側に貫通することにより、屋根２の表面側に基礎ボルト５を立設することができる。
【００２４】
この場合、屋根材３を支持する受梁７は、屋根２の横方向に複数例えば２本配設されており（図示せず）、この２本の受梁７に上述したタイトフレーム４を溶接してある。タイトフレーム４に立設された基礎ボルト５を屋根材３の挿入孔３ｃに貫通させて屋根２に立設することにより、横方向に並ぶ複数の基礎ボルト５の横列を２列形成することができる。なお、屋根２に立設された基礎ボルト５のうち、後述する固定部材１０を取り付ける予定のない基礎ボルト５については、図１，図４に示すように、パッキン６ａ及びワッシャー６ｂを介してナット６を締結し、その上にキャップ８を被着してある。
【００２５】
固定部材１０は、例えばステンレス製部材で形成されており、図５に示すように、屋根２に立設される基礎ボルト５が遊貫可能な縦方向に沿う第１長孔１０ｃが形成される平板状の基部１０ａと、基部１０ａの両側縁部から下方に連設される折曲片１０ｂと、基部１０ａの上面から高さ方向に立設される連結ボルト１２と、を具備する。
【００２６】
この場合、折曲片１０ｂの基部１０ａに対する傾斜角度は、上述した屋根材３の波形凸部３ａの傾斜角度より若干大きくなっている。また、基部１０ａには、折曲片１０ｂが連設される方向と直交する方向すなわち縦方向に沿って長い孔の第１長孔１０ｃが形成されている。
【００２７】
緩衝材１１は、固定部材１０と屋根２の間に介在されるスペーサー機能を有するものであって、一定の厚さを有する例えば独立気泡型ポリエチレンフォーム等のような弾性を有する部材を略矩形状に切断して形成したものである。図５に示すように、緩衝材１１は、固定部材１０の基部１０ａの連結ボルト１２が立設される部位の裏面側と、両折曲片１の裏面側に接着剤等によって装着される。この場合、緩衝材１１を複数枚重ねることにより、緩衝材１１の厚さを調整することで、屋根材３上の固定部材１０の取付位置の高さ方向を位置調整することができる。また、緩衝材１１を固定部材１０の裏面に設けることにより、屋根材３の波形面や凹凸面が異なる場合でも、緩衝材１１が弾性変形して固定部材１０を屋根材３に密接して固定することができる。
【００２８】
横材２０は、例えばステンレス製部材で形成されており、図６に示すように、連結ボルト１２が遊貫可能な横方向に沿う第２長孔２０ｂが両端部に形成されると共に、縦レール３０を固定するための取付ボルト１５を遊貫可能な横方向に沿う第３長孔２０ｃが中間部に形成される平板状の基部２０ａと、基部２０ａの長手方向に沿って連設される折曲補強片２１と、を具備する。
【００２９】
この場合、基部２０ａの両端部に形成される第２長孔２０ｂと、中間部に形成される第３長孔２０ｃは、横方向すなわち基部２０ａの長手方向に沿って長い孔により形成されている。
【００３０】
また、折曲補強片２１は、図６に示すように、横材２０の基部２０ａの長手方向に沿う両縁部における第２長孔２０ｂが位置する両端部を残した部分（中間部）に、基部２０ａから下方に向かって屈曲して連設されている。基部２０ａの第２長孔２０ｂが位置する両端部に、折曲補強片２１を連設しないのは、折曲補強片２１と固定部材１０との干渉を避けるためである。このように横材２０の基部２０ａの長手方向に沿う縁部における第２長孔２０ｂが位置する両端部を残した中間部に折曲補強片２１を連設することにより、固定部材１０間に架設される横材２０の曲げ強度（曲げ剛性）の向上が図れる。
【００３１】
縦レール３０は、例えばアルミニウム合金製の押出形材にて形成されており、図７，図８（ａ）に示すように、底壁３０ａの長手方向に沿う両側片には一対の側壁３０ｂが直交状に折曲し、両側壁３０ｂの上端に直交状に折曲する上部壁３０ｃの中央部に狭隘開口部３０ｄを有する断面矩形状のチャンネル状部材にて形成されており、底壁３０ａの長手方向に沿う中心部の適宜位置には、縦レールを横材２０に取り付けるための取付ボルト１５が遊貫可能な縦方向に沿う第４長孔３０ｅが穿設されている。なお、第４長孔３０ｅは、取付ボルト１５が貫通可能な円形の孔部であってもよい。
【００３２】
図３，図８（ａ）に示すように、横材２０と縦レール３０は、横材２０の基部２０ａに形成された第３長孔２０ｃと、縦レール３０に形成された第４長孔３０ｅを、横材２０の下方から取付ボルト１５が貫通し、取付ボルト１５に縦レール２０内に配置されナットとして機能する固定金具３２を締結して固定される。
【００３３】
この場合、固定金具３２は、例えばステンレス製部材にて形成されており、図８（ｂ）に示すように、縦レール３０の狭隘開口部３０ｄ内に遊挿可能な幅を有する矩形基部３２ａと、該矩形基部３２ａの長手方向の対角部を切欠し、縦レール３０の両側壁３０ｂに係止可能な一対の切欠部３２ｂと、矩形基部３２ａの中心付近に形成され、取付ボルト１５を締結可能な雌ねじ部３２ｃとを備える。
【００３４】
太陽電池モジュール１は、図１に示すように、太陽電池を複数個並列或いは直列に接続して繋ぎ合せたものをガラスで覆い、矩形パネル状に形成されている。太陽電池モジュール１の裏面側には、縦レール３０に摺動可能に載置されるモジュールベース（図示せず）が接合されている。太陽電池モジュール１は、太陽電池モジュール１を縦レール３０に載置して、モジュールベースを押え金具（図示せず）により縦レール３０に固定することにより、縦レール３０に連結することができる。
【００３５】
次に、本発明に係る太陽電池モジュール１の取り付け手順の一例について説明する。
【００３６】
まず、横方向に配設された複数本例えば２本の受梁７に、曲部４ａの頂部に基礎ボルト５が立設されたタイトフレーム４を溶接する（図４参照）。
【００３７】
次いで、挿入孔３ｃが形成された屋根材３を、タイトフレーム４上に載置すると共に、挿入孔３ｃに基礎ボルト５を貫通させる。これにより、屋根２から立設された基礎ボルト５の横列を２列形成することができる。
【００３８】
次いで、固定部材１０を取り付ける予定のない基礎ボルト５例えば横方向に２個おきに配置される基礎ボルト５に、パッキン６ａ及びワッシャー６ｂを介してナット６を締結し、その上にキャップ８を被着する（図４参照）。これにより屋根材３を、タイトフレーム４に固定することができる。
【００３９】
予め所定の厚さに調整された緩衝材１１を接着した固定部材１０は、パッキン９ａを介して屋根２から立設される基礎ボルト５を第１長孔１０ｃに遊挿すると共に、折曲片１０ｂが波形凸部３ａの傾斜面に沿うようにして、屋根２上に載置される。これにより、基礎ボルト５を、縦方向に長い第１長孔１０ｃに遊挿することができる。作業者は、固定部材１０を縦方向に移動して位置調整することができ、固定部材１０を所望の位置に移動して、基礎ボルト５に、ワッシャー９ｂを介してナット９を締結する（図３，４参照）。
【００４０】
上記固定部材１０が取り付けられた基礎ボルト５と、横方向に並んだ他の基礎ボルト５に上記と同様にして他の固定部材１０を取り付ける。
【００４１】
次いで、横材２０を、横方向に並んで固定された２個の固定部材１０に架設する。この場合、横材２０の両端に形成された第２長孔２０ｂに、固定部材１０のそれぞれに立設される連結ボルト１２を遊貫する。これにより、連結ボルト１２を、横方向に長い第２長孔２０ｂに遊挿することができる。作業者は、横材２０を横方向に移動して位置調整することができ、横材２０を所望の位置に移動して、連結ボルト１２に、ワッシャー２５ａ及びバネワッシャー２５ｂを介してナット２５を締結する（図３参照）。
【００４２】
上記のようにして横材２０が連結された固定部材１０を固定する２本の基礎ボルト５と、縦方向の対向する位置にある２本の基礎ボルト５に、上記と同様にして固定部材１０及び横材２０を連結する。
【００４３】
次いで、縦レール３０の一端を軒側２ｂの横材２０に載置すると共に、縦方向に対向する棟側２ａの横材２０に、縦レール３０の他端を載置する。次いで、横材２０の下方から、ワッシャー２６を介して、横材２０の基部２０ａに形成される第３長孔２０ｃ及び縦レール３０に形成される第４長孔３０ｅに、取付ボルト１５を遊貫する。取付ボルト１５は、横方向に長い第３長孔２０ｃに遊挿されるため、縦レール３０を横方向に移動して位置調整することができる。また、取付ボルト１５は、縦方向に長い第４長孔３０ｅに遊挿されるため、縦レール３０を縦方向に移動して位置調整することができる。作業者は、縦レール３０を所望の位置に移動して、取付ボルト１５を縦レール３０の狭隘開口部３０ｄから遊挿された固定金具３２の雌ねじ部３２ｃに締結する。
【００４４】
縦レール３０は、上記のようにして、太陽電池モジュール１に接合されるモジュールベース位置及び太陽電池モジュール１の横方向の数に合わせて、屋根２の縦方向に沿って互いに平行に複数設置される（図１参照）。
【００４５】
次いで、上記のようにして屋根２に固定された複数例えば２本の縦レール３０の軒側２ｂに、太陽電池モジュール１の裏面側に接合されたモジュールベースを支持させ、太陽電池モジュール１を載置する。次いで、モジュールベースを押え金具により縦レール３０に固定して、太陽電池モジュール１を屋根２に設置することができる。その後、棟側２ａから順次２枚の太陽電池モジュール１を縦レール３０に固定し、２本の縦レール３０毎に３枚の太陽電池モジュール１を設置する。
【００４６】
上記実施形態の太陽電池モジュール１の取付構造によれば、屋根２に立設された基礎ボルト５に緩衝材１１を介在して折曲片１０ｂが形成された固定部材１０を屋根に固定するため、屋根２が連続する波形面、凹凸面等の起伏面であっても、屋根２と固定部材１０を強固に連結することができる。太陽電池モジュール１を固定する縦レール３０は、横材２０を介して屋根２と強固に連結された２個の固定部材１０に連結されるため、屋根２と強固に連結することができる。このため、屋根２が、波形面、凹凸面等の起伏面であっても強固に太陽電池モジュール１を取り付けることができる。
【００４７】
また、固定部材１０に形成された縦方向に沿う第１長孔１０ｃに基礎ボルト５を遊貫して、固定部材１０を縦方向に位置調整して基礎ボルト５にナット９を締結することにより、太陽電池モジュール１の取付位置の縦方向の調整範囲を広げることができる。また、横材２０の両端に形成された横方向に沿う第２長孔２０ｂに、各固定部材１０のそれぞれに立設された連結ボルト１２を遊貫して、横材２０を横方向に位置調整して連結ボルト１２にナット２５を締結すること、及び、横材２０に形成された横方向に沿う第３長孔２０ｃに取付ボルト１５を遊貫して、縦レール３０を横方向に位置調整して縦レール３０を固定することにより、太陽電池モジュール１の取付位置の横方向の調整範囲を広げることができる。また、緩衝材１１の厚さの調整することにより、太陽電池モジュール１の取付位置の高さ方向の調整範囲を広げることができる。このため、太陽電池モジュール１の取付位置の縦方向、横方向及び高さ方向の調整を容易に行うことができる。
【００４８】
上述した実施形態では、屋根材３に連続して交互に形成される波形凸部３ａ及び波形凹部３ｂは曲線であったが、例えば屋根材３には、角部を有する凸部３ａと凹部が交互に横方向に連続する凹凸面が形成されていてもよい。この場合、固定部材１０の基部１０ａの横方向の幅を、凸部の頂部の幅に形成し、折曲片１０ｂは屋根材の角部の傾斜に合わせて折り曲げればよい。このように構成することにより、固定部材１０と屋根２を強固に連結することができる。
【００４９】
上述した実施形態では、横材２０は、第２長孔２０ｂ及び第３長孔２０ｃが形成される平板状の基部２０ａと、基部２０ａの長手方向に沿う縁部における第２長孔２０ｂが位置する両端部を残した中間部に連設される折曲補強片２１と、により構成されたが、例えば図９（ａ）に示すように、横材２０Ａの基部２０ａの長手方向に沿う縁部における第２長孔２０ｂが位置する両端部を残した中間部に折曲補強片２１を連設し、基部２０ａにおける、折曲補強片２１が連設される部位（中間部）と連設されてない部位（端部）に跨って、補強用のエンボス部２２を形成してもよい。
【００５０】
この場合、図９（ｂ）に示すように、エンボス部２２は、基部２０ａにおける折曲補強片２１が連設される中間部と連設されてない端部に跨る位置を、裏面側から略楕円形状に押し上げて、基部２０ａの短手方向に複数個例えば２個並べて形成されている。このように横材２０Ａを構成することにより、固定部材１０間に架設される横材２０の両端取付部の強度（剛性）の向上が図れると共に、横材２０の曲げ強度（曲げ剛性）の向上が図れる。
【符号の説明】
【００５１】
１  太陽電池モジュール
２  屋根
５  基礎ボルト
９  ナット
１０  固定部材
１０ａ  基部
１０ｂ  折曲片
１０ｃ  第１長孔
１１  緩衝材
１２  連結ボルト
１５  取付ボルト
２０，２０Ａ  横材
２０ａ  基部
２０ｂ  第２長孔
２０ｃ  第３長孔
２１  折曲補強片
２２  エンボス部
２５  ナット
３０  縦レール
３０ｅ  第４長孔
３２  固定金具（ナット）
【図１】
2013096118.tif 000003
【図２】
2013096118.tif 000004
【図３】
2013096118.tif 000005
【図４】
2013096118.tif 000006
【図５】
2013096118.tif 000007
【図６】
2013096118.tif 000008
【図７】
2013096118.tif 000009
【図８】
2013096118.tif 000010
【図９】
2013096118.tif 000011